(57)【要約】      （修正有）【課題】三本の絃又は四本以上の絃を用いて、演奏する為の指の配置及び音符の表示方法を簡素化した譜面に関する。【解決手段】五線譜対称指付け譜は、三本及び、四本以上の絃を発音源とする弦楽器による奏法の簡素化と、音符の表示方法を考案したものである。三弦及び、四弦楽器は４本の弦を低音より１．２．３．４とし開放音をその数字で表し、ポジション（フレット）の部分を押さえて弾き音を出す場合、押さえる指を表記する事で音階を指定する。数字又は指の後に横線、あるいは下線を引き音符の長さを表す。又、開放弦の調律の時点で主音と５度音との４音のみで使える様にした。【選択図】図１
0003130758.tif 000002
【実用新案登録請求の範囲】
【請求項１】
本考案は、従来の弦楽器の演奏技術が短時間で習得でき、手軽に演奏を楽しむことができるよう、三本の絃又は四本以上の絃を用いて、従来の奏法をより簡略化する方法を有してなる五線譜対称指付け譜である。
【請求項２】
本考案は、三弦楽器は３本の弦を低音より１．２．３、四弦楽器は４本の弦を低音より１．２．３．４とし開放音をその数字で表し、ポジション（フレット）の部分を押さえて弾き音を出す場合、押さえる指、♭人差し指、人差し指、中指、薬指、小指、♯小指（以降♭人、人、中、薬、子、♯子で表示する）を表記する事で音階を指定するもので、数字又は指の位置で音階を指定すると同時に指定した数字、指、の後に横線、あるいは下線を引き音符の長さを表すもので、ポジションを押さえるのに使う♭人、人、中、薬、子、♯子は共に１２．３、または四弦での同じフレツトの箇所で使用出来るよう開放弦の調律（チューニング）の時点で主音と５度音（ハ長調ド音とソ音）との４音のみで使える様に考案したもので、五線譜を提示し、その下の段に表示を有してなる五線譜対称指付け譜である。
【考案の詳細な説明】
【技術分野】
【０００１】  本考案は三本の絃又は四本以上の絃を用いて、演奏する為の指の配置及び音符の表示方法を簡素化した譜面に関する。
【背景技術】
【０００２】  過去幾多の楽器が日本にもたらされ、調律、奏法等のその楽器に関する知識も同時に持ち込まれ人々はそれを忠実に守り受け継いできた。それらの楽器には独自の専門的な楽譜が存在しており、それぞれの楽器を奏でるにはその楽譜を理解する専門的な知識と技術が必要である。
【考案の開示】
【考案が解決しようとする課題】
【０００３】  楽器を演奏する上で、楽譜を充分理解することが重要であるが、伝承されてきたそれぞれの楽器には独自の専門的な譜面がある。又、楽譜の知識も、ピアノ・バイオリン等のレッスンを通じて習得する訳で、一般の人々には学習する機会が少なく、譜面を理解し演奏することは、多くの時間を費やさなければならない。弦楽器の演奏を手軽に楽しめるようにもっと簡素化された譜面の改良が必要であると考えた。
【課題を解決するための手段】
【０００４】  本考案は、従来の弦楽器の演奏技術が短時間で習得でき、手軽に演奏を楽しむことができるよう、三本の絃又は四本以上の絃を用いて、従来の奏法をより簡略化する方法を譜面で表示するものである。  表示方法は、五線譜を提示し、その下の段に表示するもので、三弦楽器は３本の弦を低音より１．２．３．四弦楽器は４本の弦を低音より１．２．３．４とし開放音をその数字で表し、ポジション（フレット）の部分を押さえて弾き音を出す場合、押さえる指、♭人差し指、人差し指、中指、薬指、小指、♯小指（以降♭人、人、中、薬、子、♯子で表示する）を表記する事で音階を指定する。数字、又は指の位置で音階を指定すると同時に指定した数字、指、の後に横線、あるいは下線を引き音符の長さを表す。  ポジションを押さえるのに使う♭人、人、中、薬、子、♯子は共に１．２．３または四弦での同じフレツトの箇所で使用出来るよう開放弦の調律（チューニング）の時点で主音と５度音（ハ長調ド音とソ音）との４音のみで使える様に考案した。【０００５】  四弦楽器での楽譜表示0003130758.tif 000003
【０００６】  五線譜対称（全音階）ハ長調0003130758.tif 000004
【０００７】  四弦楽器の指運表0003130758.tif 000005
【０００８】  三弦楽器での楽譜表示0003130758.tif 000006
【０００９】  三弦楽器の指運表0003130758.tif 000007
0003130758.tif 000008
【考案の効果】
【００１０】  本考案は、沖縄の三線、中国の弦楽器、月琴、奏琴、阮、そしてギター等の数本の絃を発音源とする弦楽器の音符を簡素化し、統一することにより、従来の伝承されている音符より理解しやすく、指の運びも比較的楽に演奏をすることができるもので、奏法を簡単にする事により今までこのような弦楽器に触れる事がなかった、若年層から中高年層の方々に至るまで短時間で理解する事が出来、楽しい演奏が可能になる表示方法を考案したものである。
【考案を実施するための最良の形態】
【００１１】音階の表示について  １．使用する１．２．３．４弦は、開放音（押さえず弾いた音）とし数字で表示しポジションを（フレット）押さえ他の音を出す時は♭人、人、♭中、中、薬、子、♯子で表示する。  ２．あらかじめ各弦とも人指し指は２フレット、中指は３フレツト、薬指は４フレット、子指は５フレット  ♯子は６フレットと指板指運図のように定めておく。  ３．使用している弦の後にくる指の表示（♭人、人、中、薬、子、♯子）は１．２．３．４弦とも同様にその弦上にあるフレットを押さえるものと考える。  ４．曲中使用する弦が変わる時、開放音は数字の１．２．３．４により表しますが開放音以外のフレットに移動して押さえる時は、（♭人、人、中、薬、子、♯子）の指名の前に放弦数を少数字で（♭２人、１人、２中、３薬、４子、♯４子）の様に表します。フレット上で使用する絃が変わった後に表示される指はその弦上にあるフレットを押さえるものと考える。  ５．前の音と同音の場合は「〃」の記号を使い直前の音と同じであると表す。【００１２】音符、休符の表示について  使用する音階（音の高、低）は数字あるいは指名で表すが、音の長さ、もしくは休みの長さをあらかじめ次の様に定めておく。  １．音符0003130758.tif 000009
0003130758.tif 000010
で、１本で１拍づつ加算され横線が２本の場合は前の１拍に２拍が加えられ３拍になる。八分音符、十六分音符は数字あるいは指名の下に、下線を引き音符の長さを表す。八分音符は１本（２人）十六分音符は２本（３人中薬）の下線で表す。  ２．付点音符0003130758.tif 000011
音符と同じ様に音の長さが延びる拍数分音符の後に横線を記入し表す。付点音符の場合、前に記された音符の長さの半拍が加算される。（四分音符に半分の八分音符が記された場合１拍半となり、八分音符の半分の十六分音符が記された場合では４分の３拍となる。音符と同じ様に音の長さが延びる拍数分音符の後に横線を記入し表す。付点音符の場合、前に記された音符の長さの半拍が加算される。（四分音符に半分の八分音符が記された場合１拍半となり、八分音符の半分の十六分音符が記された場合では４分の３拍となる。  ３．休符0003130758.tif 000012
休符についても音符と同様で、音符は音を延ばす記号だが、休符は音を出さない記号の表示である。  ４．付点休符0003130758.tif 000013
付点休符についても、休符と同じである。
【図面の簡単な説明】
【００１３】
【図１】五線譜対称指付け譜  指の配置図      １小は２弦開放、３小は４弦開放と同音の為使用しない
【符号の説明】
【００１４】  １    ０フレット（ナット）  ２    １フレット  ３    ２フレット  ４    ３フレット  ５    ４フレット  ６    ５フレット  ７    ６フレット  ８    １弦  ９    ２弦  １０  ３弦  １１  ４弦  １２  人差し指  １３  中指  １４  薬指  １５  小指
【図１】
0003130758.tif 000014
【手続補正書】
【提出日】平成18年9月20日(2006.9.20)
【手続補正１】
【補正対象書類名】実用新案登録請求の範囲
【補正対象項目名】全文
【補正方法】変更
【補正の内容】
【実用新案登録請求の範囲】
【請求項１】
本考案は、弦楽器演奏の譜面を作成するにあたり基本となるもので、三本の絃又は四本以上の絃を用いて、フレットごとの指の配置と、弦を指定して音階を五線譜に表示することを特徴とする五線譜対称指付け譜。
【請求項２】
本考案は、三弦楽器は３本の弦を低音より１．２．３、四弦楽器は４本の弦を低音より１．２．３．４とし、開放音をその数字で表し、フレットの部分を押さえて弾き音を出す場合、♭人差し指を♭人、人差し指を人、中指を中、薬指を薬、小指を子、♯小指を♯子と押さえる指を表示することを特徴とする五線譜対称指付け譜。
【手続補正２】
【補正対象書類名】明細書
【補正対象項目名】全文
【補正方法】変更
【補正の内容】
【考案の詳細な説明】
【技術分野】
【０００１】  本考案は  三本の絃又は四本以上の絃を用いて演奏する為の、指の配置及び音符の表示を簡素化した、基礎となる譜面に関する。
【背景技術】
【０００２】  弦楽器の多くは、古来からの伝承的な譜面や、複雑なコード譜をもちいて演奏する為、初心者には其れを習得し、複雑な指の運びをこなし演奏ができるまでには多くの時間と、努力が必要である。
【考案が解決しようとする課題】
【０００３】  楽器を演奏する上で、楽譜を充分理解することが重要であり、伝承されてきたそれぞれの楽器には独自の専門的な譜面があるが、一般の人々にはそれらを習得する機会が少なく、譜面を理解し演奏することは、多くの時間を費やさなければならない。弦楽器の演奏を手軽に楽しめるようにもっと簡素化された譜面の考案が必要であると考えた。
【課題を解決するための手段】
【０００４】  本考案は、三本の絃又は四本以上の絃を用いて、フレットごとの指の配置と、弦を指定して音階を五線譜に表示するもので、従来の弦楽器のコード譜等による複雑な表示ではなく、短時間で習得できるように、簡略化した譜面を作成するための基本となるものを考案した。
本考案の五線譜対称指付け譜は、弦楽器演奏の譜面を作成するにあたり基本となるもので、三本の絃又は四本以上の絃を用いて、フレットごとの指の配置と、弦を指定して音階を五線譜に表示することを特徴とする。
また、本考案は、三弦楽器は３本の弦を低音より１．２．３、四弦楽器は４本の弦を低音より１．２．３．４とし、開放音をその数字で表し、フレットの部分を押さえて弾き音を出す場合、♭人差し指を♭人、人差し指を人、中指を中、薬指を薬、小指を子、♯小指を♯子と押さえる指を表示することを特徴とする。
【考案の効果】
【０００５】本考案は、弦楽器演奏の譜面を作成するにあたり基本となるもので、三本の絃又は四本以上の絃を用いて、フレットごとの指の配置と、弦を指定して音階を五線譜に表示するもので、三弦楽器は３本の弦を低音より１．２．３、四弦楽器は４本の弦を低音より１．２．３．４とし、開放音をその数字で表し、フレットの部分を押さえて弾き音を出す場合、♭人差し指を♭人、人差し指を人、中指を中、薬指を薬、小指を子、♯小指を♯子と押さえる指を表示することを特徴とする。
これを用いて示された楽譜は、従来の弦楽器の複雑なコード譜よりもはるかに理解しやすく指の運びも比較的楽に演奏をすることができるものとなる。
【考案を実施するための最良の形態】
【０００６】  音階の表示について
１．  使用する１．２．３．４弦は、開放音とし数字で表示しフレットを押さえ他の音を出す時は♭人、人、♭中、中、薬、子、♯子で表示する。
２．  あらかじめ各弦とも人指し指は２フレット、中指は３フレット、薬指は４フレット、子指は５フレット  ♯子は６フレットと指板指運図のように定めておく。
３．  使用している弦の後にくる指の表示は１．２．３．４弦とも同様にその弦上にあるフレットを押さえるものと考える。
４．  曲中使用する弦が変わる時、開放音は数字の１．２．３．４により表すが、開放音以外のフレットに移動して押さえる時は、♭人、人、中、薬、子、♯子の指名の前に放弦数を少数字で表します。フレット上で使用する絃が変わった後に表示される指はその弦上にあるフレットを押さえるものと考える。
５．  前の音と同音の場合は「〃」の記号を使い  直前の音と同じであると表す。【０００７】
0003130758.tif 000015
【０００８】
0003130758.tif 000016
【図面の簡単な説明】
【０００９】
【図１】  五線譜対称指付け譜
【図２】  四弦楽器による指の配置図
【図３】  四弦楽器  （参照図）
【符号の説明】
【００１０】図面１        五線譜対称指付け譜
●は、開放音とし数字で表示し、○は、フレットを押さえ他の音を出す時は人          差し指を人、中指を中、薬指を薬、小指を子と表示する。
図面２        １        ０フレット（ナット）
２        １フレット
３        ２フレット
４        ３フレット
５        ４フレット
６        ５フレット
７        ６フレット
８        １弦
９        ２弦
１０      ３弦
１１      ４弦
１２      人差し指
１３      中指
１４      薬指
１５      小指
図面３        円内部分が図面２を示す
【手続補正３】
【補正対象書類名】図面
【補正対象項目名】全図
【補正方法】変更
【補正の内容】
【図１】
0003130758.tif 000017
【図２】
0003130758.tif 000018
【図３】
0003130758.tif 000019
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
弦楽器演奏の譜面を作成するにあたり基本となるもので、三本の絃又は四本以上の絃を用いて演奏するもので、フレットごとの指の配置と、弦を指定して音符を五線譜に表示することを特徴とする五線譜対称指付け譜。
【請求項２】
三弦楽器は３本の弦を低音より１．２．３、四弦楽器は４本の弦を低音より１．２．３．４とし、開放音をその数字で表し、フレットの部分を押さえて弾き音を出す場合、音符の右側に♭人差し指を♭人、人差し指を人、中指を中、薬指を薬、小指を子、＃小指を＃子と押さえる指を表示することを特徴とする五線譜対称指付け譜。